(57)【特許請求の範囲】
【請求項１】
コネクタの一部に係止するツメ部を有したコネクタカバーであって、
前記コネクタが、基板に実装された基板側コネクタと、ワイヤハーネスの端部に接続されたハーネス側コネクタとを有し、
前記基板側コネクタが、嵌合された前記ハーネス側コネクタをロックするレバーを有し、
前記ツメ部が、前記コネクタカバーの側面内側から突設形成された平板バネであるとともに、前記レバーのロック解除を妨げる箇所に位置する
ことを特徴とするコネクタカバー。
【請求項２】
前記ツメ部の幅が、前記レバーの幅よりも狭い
ことを特徴とする請求項１記載のコネクタカバー。
【請求項３】
前記コネクタカバーの内面に、前記レバーの開方向側面が当接するレバー当接部を有した
ことを特徴とする請求項１又は２記載のコネクタカバー。
【請求項４】
剪断されると前記コネクタカバーの本体が分断し該コネクタカバーの装着を解除可能とする切断部を有し、
この切断部が、所定の剪断工具を挿入して剪断可能なアーチ状に形成された
ことを特徴とする請求項１〜３のいずれかに記載のコネクタカバー。
【請求項５】
前記切断部が、径の細い複数の棒部材で形成された第一切断部を有し、
前記複数の棒部材が、互いに近接して配置された
ことを特徴とする請求項４記載のコネクタカバー。
【請求項６】
前記切断部が、前記コネクタカバーの本体の正面及び／又は背面に形成された第二切断部を有し、
剪断工具の過挿入によりワイヤハーネスが損傷するのを防止する過挿入防止部を、前記第二切断部のアーチ部分の底部に設けた
ことを特徴とする請求項４又は５記載のコネクタカバー。
【請求項７】
金型成形により前記ツメ部を形成するために前記コネクタカバーの本体の上面に形成された孔と、
この孔を塞ぐ閉塞部材とを有し、
前記孔の側面に上向きに形成された段差と、前記閉塞部材の側面に下向きに形成された段差とを重ね合わせ、この重ね合わせ部分を接着して、前記閉塞部材を前記孔に固着した
ことを特徴とする請求項１〜６のいずれかに記載のコネクタカバー。
【請求項８】
前記コネクタカバーを前記基板側コネクタに装着したときに、前記ツメ部を囲む、前記コネクタカバーの側面と該コネクタカバーの正面及び背面の側方底部が、前記基板側コネクタの底部又は底部近くに達する形状に形成された
ことを特徴とする請求項１〜７のいずれかに記載のコネクタカバー。
【請求項９】
前記請求項１〜８のいずれかに記載のコネクタカバーを備えた
ことを特徴とする遊技機。
【発明の詳細な説明】
【技術分野】
【０００１】
本発明は、プリント基板に実装されたコネクタに装着されるコネクタカバー、及び、そのプリント基板を備えた遊技機に関し、特に、コネクタに不正基板等を取り付ける行為を防止するコネクタカバー及び遊技機に関する。
【背景技術】
【０００２】
一般に、スロットマシンやパチンコ機等の遊技機には、ゲーム性に関与する複数の基板が配設されている。
これらの基板には、遊技の結果を左右するとともに、遊技機全体を制御する主要な基板である主基板が含まれている。
主基板は、プリント基板上にＣＰＵ，ＲＯＭ，ＲＡＭ等の種々の電子部品が配置されたコンピュータとして構成されている。
このような遊技の結果を左右する主基板は、不正改造の対象となり易く、そのために、当該主基板を透明な二つのケースの間に挟んで収容するとともに、さらに、このケースを開封不能に封止している。
【０００３】
ところが、近年では、基板収納ケースを開けることなく、回路基板と諸装置とを接続するケーブルのコネクタ部分を利用して、不正な基板を追加する不正行為が行われることがある。
そこで、この不正行為を防止するための改良技術が種々提案されている。
例えば、コネクタを前後から挟むように正面側部品と背面側部品とを取り付け、ピンで留めて固定するコネクタカバーが提案されている（例えば、特許文献１参照。）。
この技術によれば、そのカバーを破壊しない限り不正な基板をコネクタに接続できないため、不正行為を防止できる。
【０００４】
また、全体が一体形成されており、少なくともコネクタの上面、正面、側面と、背面の一部を覆うコネクタカバーが提案されている（例えば、特許文献２参照。）。
この技術によれば、コネクタカバーの正面内側の下方に設けられた突起部がコネクタの底面縁部に係止するので、このコネクタカバーを容易に取り外すことができない。これにより、不正基板等を接続する不正行為を防止できる。
【先行技術文献】
【特許文献】
【０００５】
【特許文献１】特開２００８−４６０号公報
【特許文献２】特開２００６−３４７８４号公報
【発明の概要】
【発明が解決しようとする課題】
【０００６】
しかしながら、上述した特許文献１、２に記載の技術においては、次のような問題があった。
例えば、特許文献１に記載の技術（文献技術１）は、コネクタカバーが複数の部品で構成されているため、管理が煩雑となっていた。
また、各部品ごとに取り付ける作業が必要となるため、工数が多くなり、時間がかかっていた。
【０００７】
これに対し、特許文献２に記載の技術（文献技術２）は、部品数が一つであるため、文献技術１が有する問題を解消している。
ところが、文献技術２は、コネクタカバーの内面の下方に形成された突起部をコネクタの底面縁部に係止させることで、コネクタカバーが外されるのを防止していた。このため、先端が鉤状の棒をコネクタカバーの底部から挿入し、突起部が底面縁部から外れる方向に鉤棒を引きつつコネクタカバーを上方へ持ち上げれば、このコネクタカバーを外すことができた。
そうすると、コネクタへの不正行為が可能となり、コネクタカバーを取り付ける意味がなくなっていた。
【０００８】
本発明は、上記の事情にかんがみなされたものであり、コネクタカバーの取り外しを困難にして、コネクタに不正部品を取り付ける行為を確実に防止するコネクタカバー及び遊技機の提供を目的とする。
【課題を解決するための手段】
【０００９】
この目的を達成するため、本発明のコネクタカバーは、コネクタの一部に係止するツメ部を有したコネクタカバーであって、コネクタが、基板に実装された基板側コネクタと、ワイヤハーネスの端部に接続されたハーネス側コネクタとを有し、基板側コネクタが、嵌合されたハーネス側コネクタをロックするレバーを有し、ツメ部が、コネクタカバーの側面内側から突設形成された平板バネであるとともに、レバーのロック解除を妨げる箇所に位置する構成としてある。
【００１０】
また、本発明の遊技機は、上記のコネクタカバーを備えた構成としてある。
【発明の効果】
【００１１】
本発明のコネクタカバー及び遊技機によれば、ツメ部が平板バネで形成されているため、このツメ部に荷重し、係止を解除しなければ、コネクタカバーを取り外すことができない。しかも、ツメ部は、コネクタカバーの内側面に突設形成されているので、コネクタカバーがコネクタに装着された状態では、針金などをツメ部に到達させるのは困難である。これにより、コネクタに不正部品を取り付ける行為を確実に防止できる。
【図面の簡単な説明】
【００１２】
【図１】本発明の実施形態の遊技機（スロットマシン）の構成を示す外観斜視図である。
【図２】主基板が収納された基板ケースの構成を示す外観斜視図である。
【図３】コネクタ及びコネクタカバーの構成を示す外観斜視図である。
【図４】基板側コネクタにハーネス側コネクタが嵌合された状態を示す外観斜視図である。
【図５】コネクタにコネクタカバーが装着された状態を示す外観斜視図である。
【図６】コネクタカバーの長手方向の縦断面における構造を示す断面図である。
【図７】コネクタにコネクタカバーが装着された状態における長手方向の縦断面の構造を示す断面図である。
【図８】コネクタカバーの水平断面（図６のＩ−Ｉ断面）における構造と、基板側コネクタのレバーのアーム部の位置を示す断面図である。
【図９】コネクタカバー及び閉塞部材の構成を示す外観斜視図である。
【図１０】コネクタカバーの水平断面（図６のII−II断面）における構造と、基板側コネクタのレバーのヘッド部の位置を示す断面図である。
【図１１】コネクタカバーの他の構成を示す外観斜視図である。
【発明を実施するための形態】
【００１３】
以下、本発明に係るコネクタカバー及び遊技機の好ましい実施形態について、図面を参照して説明する。
【００１４】
［実施形態］
まず、本発明のコネクタカバー及び遊技機の実施形態について、図１を参照して説明する。
同図は、本実施形態の遊技機であるスロットマシンの構成を示す外観斜視図である。
【００１５】
遊技機には、パチンコ機、スロットマシン、アレンジボール、雀球など様々な機類があるが、本実施形態では、メダルを遊技媒体とするスロットマシンに本発明の遊技機用基板ケースを適用した場合について説明する。
【００１６】
（Ｉ）スロットマシン
図１に示すように、スロットマシン１００は、複数のリール１１０ａ，１１０ｂ，１１０ｃを回転させることによって遊技媒体であるメダルを獲得することができる回胴式遊技機を構成している。
スロットマシン１００は、必要な機械、装置等を収納する正面側が開口した筐体１００ｂと、筐体１００ｂの正面側を開閉可能に覆う前扉１００ａとで構成されている。
前扉１００ａは、筐体１００ｂにヒンジ等を介して開閉可能に取り付けられる扉体で、この前扉１００ａに各リール１１０の回転を始動させるスタートレバーや、回転している各リール１１０を停止させる３つの停止ボタンなどの複数の操作手段が設けられて、スロットマシン１００の正面部を構成している。
【００１７】
筐体１００ｂの中央には、リール１１０ａ，１１０ｂ，１１０ｃと、各リール１１０を回転可能に支持する図示しないモータ及び回転位置を検出するセンサ等が設けられている。
また、筐体１００ｂの下部には、メダルの貯留・払出しを行うメダル払出装置１２０が設けられる。
筐体１００ｂの上部には、所定のプリント基板が収容された基板ケース１３０が設けられている。
【００１８】
基板ケース１３０は、上記の各操作手段からの信号に基づき、各リール１１０、メダル払出装置１２０などの各装置を制御することで、スロットマシン遊技の進行制御を行う、いわゆる主基板１４０が収容されている。
主基板１４０は、各リール１１０に停止表示される図柄の組合せを判定し、所定の図柄の組合せのときには、メダル払出装置１２０に対して所定数のメダルを払い出させる制御を行う。
【００１９】
このような構成からなるスロットマシン１００は、主基板１４０により、以下のように制御されてスロットマシン遊技が進行する。
まず、遊技者によりメダルが投入され、スタートレバーが操作されると、主基板１４０は、各リール１１０を回転させる制御を行うとともに、ボーナスや小役等を抽せんする内部抽せんを行い、各停止ボタンが押下操作されたタイミングに基づき、抽せん結果に応じた図柄の組合せで停止するよう、回転している各リール１１０の停止制御を行う。
【００２０】
このようなスロットマシン遊技の進行を制御する主基板１４０には、ＣＰＵ（中央演算処理装置）、ＲＯＭ及びＲＡＭなどの記憶手段、Ｉ／ＯインターフェイスなどのＩＣ部品、抵抗、コンデンサ、トランジスタなどの様々な電子部品などが実装されている。
また、主基板１４０には、スロットマシン１００内の種々の装置と接続するための基板側コネクタ１６０が実装されている（図２参照）。
この基板側コネクタ１６０に対しては、外部からハーネス側コネクタ１５０が接続される（図４参照）。このため、主基板１４０を収容する基板ケース１３０は、基板側コネクタ１６０の実装部分が開口になっている。
【００２１】
ところで、主基板１４０では、基板側コネクタ１６０からハーネス側コネクタ１５０を取り外し、ここに不正基板等の不正部品を取り付けて、スロットマシン１００における遊技特性（例えば、出玉率）を変更し、メダルを不正に払い出させるという行為が行われてきた。
そこで、本実施形態の遊技機１００は、取り外し困難なコネクタカバー１０をコネクタＡに装着することで、不正部品の取り付けを不可能とした。
以下、本実施形態のコネクタＡとコネクタカバー１０の構成について、図３〜図１０を参照しつつ説明する。
【００２２】
（II）コネクタＡ
コネクタＡは、図３に示すように、ハーネス側コネクタ１５０と、基板側コネクタ１６０とを有している。
なお、図３は、ハーネス側コネクタ１５０、基板側コネクタ１６０、コネクタカバー１０の各構成を示す外観斜視図である。
【００２３】
ハーネス側コネクタ１５０は、ワイヤハーネス１７０の端部に接続されており、ワイヤハーネス１７０の各線と基板側コネクタ１６０の各ピン１６４とを対応付けて接続するための部品である。
このハーネス側コネクタ１５０は、所定長さの三本の角棒部材１５１を平行にして三段に積み上げたものであり、一段目の角棒部材１５１−１と二段目の角棒部材１５１−２との間、そして、二段目の角棒部材１５１−２と三段目の角棒部材１５１−３との間に、ワイヤハーネス１７０を挟み込んでいる。
【００２４】
また、ハーネス側コネクタ１５０は、一段目の角棒部材１５１−１の底面に所定数のピン用穴（図示せず）を有しており、基板側コネクタ１６０のピン１６４と接続される。
さらに、三段目（最上段）の角棒部材１５１−３の上面の両端には、凹部１５２が形成されている。この凹部１５２には、基板側コネクタ１６０の係止部１６３−６が係止するようになっている。これにより、基板側コネクタ１６０の本体部１６２に嵌合したハーネス側コネクタ１５０が保持される。
【００２５】
ワイヤハーネス１７０は、複数本の電線を同一面上で平行に配置して、フラットケーブルとして形成したものである。
このワイヤハーネス１７０は、先端が、ハーネス側コネクタ１５０の一段目の角棒部材１５１−１と二段目の角棒部材１５１−２との間に挟まれて接合され、上方に折り返された後、ハーネス側コネクタ１５０の二段目の角棒部材１５１−２と三段目の角棒部材１５１−３との間に再び挟み込まれて接合されている。
【００２６】
基板側コネクタ１６０は、主基板１４０（またはサブ基板（図示せず））に実装されており、底部１６５に配置された複数の接続ピン１６６を介して、主基板１４０に実装された回路に接続されている。
この基板側コネクタ１６０は、上面に開口１６１が形成された横長で箱状の本体部１６２と、この本体部１６２の両側面に取り付けられたレバー１６３を有している。
本体部１６２は、内部に複数本のピン１６４が立設しており、開口１６１からは、ハーネス側コネクタ１５０が嵌め込み可能になっている。これにより、基板側コネクタ１６０のピン１６４がハーネス側コネクタ１５０のピン用穴に挿入され、ワイヤハーネス１７０との間で電気的に導通可能となる。
【００２７】
レバー１６３は、図４に示すように、ハーネス側コネクタ１５０が本体部１６２に嵌め込まれたときに、そのハーネス側コネクタ１５０を両端から押さえ込んで保持するためのロック部材である。
このレバー１６３は、図３に示すように、ヘッド部１６３−１と、アーム部１６３−２と、回動軸１６３−３とを有している。
ヘッド部１６３−１は、レバー１６３を開閉操作するために、人が指でつまんだり押したりする部分である。
【００２８】
このヘッド部１６３−１は、底面１６３−４でアーム部１６３−２と接合している。そして、この底面１６３−４において、アーム部１６３−２が接合していない部分は、段差１６３−５となっている。
段差１６３−５は、ヘッド部１６３−１の底面１６３−４の周縁の一部又は全部に形成されている。この段差１６３−５を有することで、人が指先を引っかけるなどして、レバー１６３を操作しやすくしてある。
また、段差１６３−５には、コネクタカバー１０のツメ部１１（後述）が係合する。この機能については、後記の「（III）コネクタカバー」で詳述する。
【００２９】
さらに、ヘッド部１６３−１の底面１６３−４のうち開口１６１側の辺には、係止部１６３−６が形成されている。係止部１６３−６は、底面１６３−４から下方向に凸状に形成された突設部分である。
この係止部１６３−６は、ハーネス側コネクタ１５０の上面両端の凹部１５２に係止して、このハーネス側コネクタ１５０を支持する。
【００３０】
アーム部１６３−２は、回動軸１６３−３に回動可能に取り付けられている。これにより、アーム１６３−２は、ヘッド部１６３−１とともに回動する。
回動軸１６３−３は、ヘッド部１６３−１及びアーム部１６３−２が回動するときの軸である。この回動軸１６３−３は、両端が本体部１６２に取り付けられており、中ほどにアーム部１６３−２が取り付けられている。
【００３１】
（III）コネクタカバー
次に、コネクタカバーについて、図３、図５〜図７を参照して説明する。
図５は、コネクタＡにコネクタカバーを装着した状態を示す外観斜視図である。図６は、コネクタカバーの長手方向における縦断面の構造を示す断面図である。図７は、コネクタにコネクタカバーを装着したときの長手方向における縦断面の構造を示す断面図である。
図３、図５〜図７に示すように、コネクタカバー１０は、閉塞部材１５（後述）を除き全体が一体形成されている。そして、コネクタカバー１０は、図５に示すように、ハーネス側コネクタ１５０が嵌合された基板側コネクタ１６０の上面及び側面のほとんどと、正面及び背面の上方を覆う形状となっている。
【００３２】
また、コネクタカバー１０は、コネクタＡに装着された状態において、コネクタＡとの隙間から針金などの不正工具が挿入されないように、内部形状がコネクタＡの外形に近似した形状としてある。
【００３３】
さらに、コネクタカバー１０は、コネクタＡに装着されると、破壊しない限り、取り外すことはできない。この取り外しを困難とするための構造として、ツメ部１１やレバー当接部１２を有している（図６参照）。
また、破壊されたことを発見可能とするための切断部１３、そして、ツメ部１１を形成するために穿設された孔１４、この孔１４を塞ぐための閉塞部材１５などを有している（図３参照）。
これら、本実施形態のコネクタカバー１０の特徴について、順次説明する。
【００３４】
（III−１）ツメ部
このコネクタカバー１０は、図６に示すように、側面１６の内側１７にツメ部１１を有している。
ツメ部１１は、側面内側１７の下部から斜め上方向に向かって突設形成された平板バネである。
【００３５】
このツメ部１１は、該コネクタカバー１０が基板側コネクタ１６０に取り付けられるときと取り付けられていないときで、その状態が異なる。
例えば、該コネクタカバー１０が基板側コネクタ１６０に取り付けられていないとき、つまり、荷重がないとき、ツメ部１１は、突設方向が側面内側１７の下部から斜め上方向となっている（図６参照）。
該コネクタカバー１０が基板側コネクタ１６０に取り付けられる際、ツメ部１１は、基板側コネクタ１６０のヘッド部１６３−１に接する。この場合、ツメ部１１は、ヘッド部１６３−１からの荷重により側面内側１７の方へ押されて、突設方向がほぼ上方向となる。この状態で、ツメ部１１は、ヘッド部１６３−１からの荷重により弾性エネルギーを蓄勢する。
【００３６】
該コネクタカバー１０が基板側コネクタ１６０に取り付けられる際、ツメ部１１の先端１１−１がヘッド部１６３−１の底面１６３−４の段差１６３−５に達すると、ヘッド部１６３−１からの荷重がなくなる。この場合、ツメ部１１は、それまで蓄勢していた弾性エネルギーにより元の状態に戻り、突設方向が側面内側１７の下部から斜め上方向となる（図７参照）。
こうして、該コネクタカバー１０が基板側コネクタ１６０に取り付けられると、ツメ部１１の先端１１−１がヘッド部１６３−１の底面１６３−４の段差１６３−５に係止する。この係止は、段差１６３−５の下方にツメ部１１の先端１１−１が位置するだけでなく、そのツメ部１１の先端１１−１が段差１６３−５の奥まで達したかたちとなっている。これは、ツメ部１１がコネクタカバー１０の側面内側１７の下部から斜め上方向に突設形成されたためであり、これにより、コネクタカバー１０の取り外しを困難とする要因となっている。
【００３７】
こうしてコネクタカバー１０を取り付けた後、今度は基板側コネクタ１６０から取り外すために、このコネクタカバー１０を上方（コネクタ１０の装着方向とは反対の方向）へ持ち上げようとすると、ツメ部１１が上方にある段差１６３−５に引っ掛かってしまい、このままでは、コネクタカバー１０を取り外すことはできない。
ここで、特許文献２の問題点を説明したときに挙げた針金を使って、コネクタカバー１０を取り外すことが考えられる。
【００３８】
例えば、先端が鉤状の針金をコネクタカバー１０の側面１６の底部から挿入する。そして、ツメ部１１が段差１６３−５から外れる方向に針金を引いてみる。そうすると、側面１６の下部とこれに繋がるツメ部１１の付け根部分が外方に引っ張られるだけであって、ツメ部１１の先端１１−１は段差１６３−５に係止したままとなる。
また、針金の先端がツメ部１１に達したとしても、ツメ部１１の付け根部分を支点とし、ツメ部１１の先端１１−１を力点として、このツメ部１１の先端１１−１を側面内側１７に押し付けることは、針金の操作では到底できない。
このように、コネクタカバー１０は、針金などを用いても取り外すことができない。このことから、コネクタＡに不正部品を取り付ける行為を確実に防止できる。
【００３９】
さらに、図８に示すように、ツメ部１１の幅ｗ１は、基板側コネクタ１６０のアーム部１６３−２の幅ｗ２よりも狭くしてある。これにより、ツメ部１１の先端１１−１が、アーム部１６３−２の側方からはみ出す部分がなくなる。
このことから、例えば、外部から細い針金のようなものをコネクタカバー１０の底部からツメ部１１の側方を通して挿入した場合でも、ツメ部１１の先端１１−１のはみ出した部分をかかり代として、このツメ部１１を戻そうとする行為ができなくなる。これにより、コネクタカバー１０を取り外して不正基板を取り付ける行為を防止できる。
【００４０】
また、ツメ部１１は、コネクタカバー１０が基板側コネクタ１６０に装着された状態において、基板側コネクタ１６０のレバー１６３がロックを解除するのを妨げる箇所に位置している。
ツメ部１１が係止する段差１６３−５は、ヘッド部１６３−１の開方向側面１６３−７の下辺に位置している。つまり、レバー１６３がロックを解除する方向にツメ部１１が位置しているので、レバー１６３を開こうとしてもツメ部１１がつっかえ棒となって開くことができない。これにより、レバー１６３がロックを解除する方向へ開くのを阻止できる。
【００４１】
（III−２）切断部
また、コネクタカバー１０は、図３に示すように、本体のほぼ中央に切断部１３を有している。
切断部１３は、メンテナンス等によりハーネス側コネクタ１５０を基板側コネクタ１６０から取り外す必要が生じたときに、このコネクタカバー１０を剪断等により分断して、コネクタカバー１０の装着を解除するために設けられた剪断部分である。
【００４２】
この切断部１３は、コネクタカバー１０の本体右側と本体左側とを繋ぐように形成されたアーチ型の橋梁部分である。
このように、切断部１３をアーチ状に形成したことで、ニッパなどの剪断工具の先端部が挿入しやすくなり、剪断が容易となる。このように切断部１３を剪断することで、コネクタロックを解除できる。
【００４３】
この切断部１３は、コネクタカバー１０の上面１８に形成された第一切断部１３−１と、コネクタカバー１０の正面１９及び背面２０に形成された第二切断部１３−２とを有している。
第一切断部１３−１は、アーチ状に形成された棒部材を複数本（本実施形態においては、二本）有し、これらを近接して配置してある。これら棒部材の一本一本は、コネクタカバー１０の上面１８の幅に比べて、径を細くしてある。これにより、切断の際には、切りやすくなる。また、細くすることで、切断面がつぶれやすくなるため、接着剤などにより容易に復元できなくなり、切断されたことを一目で視認できる。
【００４４】
第二切断部１３−２は、コネクタカバー１０の正面１９の中央部分、及び、背面２０の中央部分を、外方に膨らませた形状（横方向断面がアーチ状の形状）に形成したものである。
この第二切断部１３−２のアーチ部分の底部には、図６及び図８に示すように、過挿入防止部１３−３が形成されている。これにより、第二切断部１３−２に剪断工具の先端が進入した場合に、その先端がワイヤハーネス１７０に達して、そのワイヤハーネス１７０が損傷するのを防止できる。
【００４５】
なお、第二切断部１３−２は、省略することができる。この省略をした場合、第二切断部１３−２があった部分は、開口となる。これに伴い、過挿入防止部１３−３も省略することができる。
また、切断部１３は、本実施形態においては、コネクタカバー１０の本体のほぼ中央に位置しているが、本体のほぼ中央に限るものではなく、任意の位置に形成できる。
ただし、切断部１３は、開口部を有することから、ツメ部１１から遠い位置に設けるのが望ましい。
【００４６】
（III−３）孔及び閉塞部材
次に、孔及び閉塞部材について、図９を参照して説明する。
孔１４は、金型を用いてコネクタカバー１０を樹脂成形する際に、ツメ部１１に対応して設けられた孔である。ツメ部１１は、側面内側１７から上面１８の裏側に向かって斜め上方向に突設形成されている。このツメ部１１のうち内側側面１７に対向する面とその内側側面１７とで挟まれた空間は、コネクタカバー１０の底部から見ると、∩（積集合）の記号（逆Ｕ字の形状）のようにツメ部１１の周囲を迂回して折り返したところに位置する空間となっている。こうした空間を金型成形する場合、底部側の金型にその空間に対応する突起部を形成することはできない。そこで、コネクタカバー１０の上面１８側に位置する金型にその空間に対応する突起部を形成し、この突起部がその空間に到達するように、コネクタカバー１０の上面１８に孔１４を形成するものである。このように、孔１４は、ツメ部１１を金型成形するのに必要な孔となっている。
【００４７】
ここで、孔１４を塞がずにそのまま開口した状態で、コネクタカバー１０をコネクタＡに装着すると、その孔１４から針金などを入れられてツメ部１１の係止を解除することも可能となってしまう。このことから、この孔１４を塞ぐ必要があり、閉塞部材１５を嵌め込んで閉塞するものである。この閉塞部材１５の嵌合は、コネクタカバー１０を製造する段階において行われる。
【００４８】
閉塞部材１５は、図９に示すように、その側面に、下向きの段差１５−１が形成されている。この段差１５−１は、閉塞部材１５の側面の全体にわたって形成することができる。あるいは、閉塞部材１５の側面の一部にのみ形成することができる。
一方、孔１４の側面には、フランジ状に上向きの段差１４−１が形成されている。この段差１４−１は、孔１４の側面の全体にわたって形成することができる。あるいは、孔１４の側面の一部にのみ形成することができる。
【００４９】
閉塞部材１５を孔１４に嵌め込むとき、この閉塞部材１５の段差１５−１と孔１４の段差１４−１とを重ね合わせ、この重なり合った部分を接着剤などで固着する。
このように、孔１４と閉塞部材１５の双方に段差１４−１、１５−１を設け、これらを重ね合わせることで、段差がない場合に比べて接触面積が広くなり、接着範囲が広くなるので、接着強度を高めることができる。
【００５０】
また、閉塞部材１５を孔１４に嵌め込んだとき、閉塞部材１５の上面１５−２（又は、上面１５−２の縁部）がコネクタカバー１０の本体の上面１８と同一面となるように、閉塞部材１５の厚さを決める。
これにより、工具などで閉塞部材１５を剥がそうとしても、取っ掛かりとなる部分がないため、剥がすことができない。このことからも、不正行為を防止できる。
【００５１】
なお、本実施形態においては、孔１４の側面と閉塞部材１５の側面の双方に段差１４−１、１５−１を設ける構成としたが、段差に限るものではなく、例えば、傾斜（テーパ）を設けることができる。
傾斜は、孔１４の側面と閉塞部材１５の側面の両方に形成される。
孔１４の側面の傾斜は、下に向かって開口面積が小さくなるように形成される。
一方、閉塞部材１５の側面の傾斜も、下に向かって面積が小さくなるように形成される。
このように、孔１４と閉塞部材１５の双方の側面に傾斜を設け、これらを重ね合わせるようにすることで、傾斜がない場合に比べて接触面積が広くなり、接着範囲が広くなるので、接着強度を高めることができる。
【００５２】
（III−４）レバー当接部
次に、レバー当接部について、図６、図１０を参照して説明する。
なお、図１０は、コネクタカバー１０の水平断面（図６に示すII−II断面）を示す図である。
図６、図１０に示すように、レバー当接部１２は、コネクタカバー１０の正面１９の両端部及び背面２０の両端部の各内側に形成された縦方向の段差部分である。
【００５３】
ここで、コネクタカバー１０の側面１６から見たレバー当接部１２間の距離ｗ３は、基板側コネクタ１６０のヘッド部１６３−１の幅ｗ４よりも狭くなっている。
これにより、レバー当接部１２は、基板側コネクタ１６０のヘッド部１６３−１がロックを解除する方向（開方向）へ開くのを阻止する。すなわち、その基板側コネクタ１６０にコネクタカバー１０を装着した場合に、ヘッド部１６３−１の開方向側面１６３−７に近接して（又は、接触して）レバー当接部１２が位置しており、ヘッド部１６３−１が少しでも開こうとすると、ヘッド部１６３−１の開方向側面１６３−７がレバー当接部１２に当接して、それ以上開くことができないようになっている。
【００５４】
なお、コネクタカバー１０の側面内側１７には、ツメ部１１が突設形成されているので、レバー当接部１２の段差幅は、そのツメ部１１に達しない程度の幅となっている。
また、本実施形態において、レバー当接部１２は、コネクタカバー１０の正面１９の両端部及び背面２０の両端部の各内側に形成したが、この位置に限るものではなく、例えば、閉塞部材１５をΓ（ガンマ）の文字のように形成し、コネクタカバー１０の側面内側１７に沿ってΓの縦部を孔１４から挿入し、その縦部をレバー当接部とすることもできる。
【００５５】
以上説明したように、本実施形態のコネクタカバー及び遊技機によれば、コネクタカバー１０の側面内側１７に平板バネであるツメ部１１を突設形成し、これをコネクタＡの一部に係止する構成としたので、コネクタカバー１０の底部から鉤状の棒を挿入し操作しても、ツメ部１１の係止を簡単に外すことができない。これにより、コネクタカバー１０の取り外しを困難にして、コネクタＡへの不正部品の取り付けを確実に防止することができる。
【００５６】
また、ツメ部１１は、コネクタカバー１０の側面内側１７から斜め上方向に突設形成してあるので、コネクタカバー１０の取り外しが非常に困難となり、コネクタＡへの不正部品の取り付けをより確実に防止できる。
さらに、切断部１３を設けたことで、メンテナンスの際、この切断部１３を切断することで、コネクタカバー１０を取り外すことができる。
【００５７】
しかも、コネクタカバー１０の上面１８の孔１４に閉塞部材１５を嵌め込むことで、この孔１４に針金を挿入するなどしてコネクタカバー１０を取り外す行為を阻止できる。
加えて、ツメ部１１の幅をレバー１６３のヘッド部１６３−１の幅よりも狭くしたり、コネクタカバー１０の正面両端及び背面両端の各内側にレバー当接部１２を設けたりすることで、コネクタカバー１０の取り外しをさらに困難なものにすることができる。
【００５８】
以上、本発明の遊技機及びコネクタカバーの好ましい実施形態について説明したが、本発明に係る遊技機及びコネクタカバーは上述した実施形態にのみ限定されるものではなく、本発明の範囲で種々の変更実施が可能であることは言うまでもない。
例えば、上述した実施形態では、基板ケース１３０に収容するプリント基板を主基板１４０としたが、スピーカやランプ等を制御する演出用の基板であるサブ基板や、その他の基板を収容することもできる。
【００５９】
また、例えば、上述した実施形態では、コネクタカバー１０を装着するコネクタＡを主基板１４０に実装されたコネクタＡとしたが、これに限るものではなく、サブ基板に実装されたコネクタにコネクタカバー１０を装着することもできる。
【００６０】
さらに、図５に示す場合においては、コネクタカバー１０を基板側コネクタ１６０に装着したときに、コネクタカバー１０の側面１６が基板側コネクタ１６０の側面上部を覆うとともに、コネクタカバー１０の正面１９及び背面２０の側方下部が、基板側コネクタ１６０の正面及び背面の側方上部を覆う構造としているが、この構造に限るものではなく、図１１に示すように、コネクタカバー１０の側面１６の底部１６−１と、正面１９及び背面２０の側方底部１９−１、２０−１が、いずれも基板側コネクタ１６０の底部１６５又は底部１６５近く（基板側コネクタ１６０が主基板１４０に実装されているときは、主基板１４０の基板面又はその基板面近く）にまで達し、基板側コネクタ１６０の側面のほとんどと、正面及び背面の側方のほとんどを覆い隠す構造とすることができる。これにより、コネクタカバー１０においては、底部１６−１、１９−１、２０−１とツメ部１１との距離を長くできるので、仮に針金などをコネクタカバー１０の底部１６−１、１９−１、２０−１から挿入しても、ツメ部１１まで達するのが困難となることから、針金等によるツメ部１１の操作を不能にして、不正にコネクタカバー１０を取り外すのを防止できる。
【産業上の利用可能性】
【００６１】
本発明は、遊技機に使用されるコネクタカバーに広く利用することができる。
【符号の説明】
【００６２】
１０  コネクタカバー
１１  ツメ部
１２  レバー当接部
１３  切断部
１３−１  第一切断部
１３−２  第二切断部
１３−３  過挿入防止部
１４  孔
１５  閉塞部材
１６  側面
１７  側面内側
１００  スロットマシン（遊技機）
１４０  主基板
１５０  ハーネス側コネクタ
１６０  基板側コネクタ
１６３  レバー
１６３−５  段差
１７０  ワイヤハーネス
Ａ  コネクタ
【図１】
0005403549.tif 000002
【図２】
0005403549.tif 000003
【図３】
0005403549.tif 000004
【図４】
0005403549.tif 000005
【図５】
0005403549.tif 000006
【図６】
0005403549.tif 000007
【図７】
0005403549.tif 000008
【図８】
0005403549.tif 000009
【図９】
0005403549.tif 000010
【図１０】
0005403549.tif 000011
【図１１】
0005403549.tif 000012